(57)【要約】【課題】従来の露光条件切替装置では、露光条件の切り替えに必要な動作量を増やす場合に、装置全体がかなり大きくなってしまうという不具合があった。【解決手段】露光条件切替装置３の構成として、露光条件切替用の光学ユニットとなるフィルタユニット５５と、フィルタユニット５５を移動可能に支持する筐体（１１，１２）と、筐体（１１，１２）に取り付けられるとともに、フィルタユニット５５を移動させて露光条件を切り替える駆動手段（５６，５７）と、を備える。筐体（１１，１２）は、外側の空間に円弧中心Ｐ１をもつ円弧状の軌道を形成し、この軌道に沿ってフィルタユニット５５の移動を案内する移動案内手段（２５，２６，４２，４３）を有する。【選択図】図２
2013254014.tif 000002
【特許請求の範囲】
【請求項１】
露光条件切替用の光学ユニットと、
前記光学ユニットを移動可能に支持する筐体と、
前記筐体に取り付けられるとともに、前記光学ユニットを移動させて露光条件を切り替える駆動手段と、
を備え、
前記筐体は、当該筐体の外側の空間に円弧中心をもつ円弧状の軌道を形成し、この軌道に沿って前記光学ユニットの移動を案内する移動案内手段を有する
ことを特徴とする露光条件切替装置。
【請求項２】
前記光学ユニットは、当該光学ユニットの移動方向と交差する方向に沿って直線状に形成された長孔を有し、
前記駆動手段は、前記長孔に嵌合するピン部を有するとともに、前記ピン部と反対側に回転支点部を有し、当該回転支点部を中心に前記筐体に回転自在に支持された駆動レバーと、前記駆動レバーを介して前記光学ユニットを移動させる駆動源ユニットと、を有し、
前記駆動レバーは、前記回転支点部を中心としたピッチ円直径で形成された第１歯車部を有し、
前記駆動源ユニットは、前記第１歯車部に噛み合うとともに、前記第１歯車部よりもピッチ円直径が大きい第２歯車部を有する回転体を有する
ことを特徴とする請求項１に記載の露光条件切替装置。
【請求項３】
前記駆動レバーは、前記円弧状の軌道の外周側に配置され、
前記円弧状の軌道が描く円弧と前記駆動レバーが回転するときに前記ピン部が描く円弧とが、互いに逆向きとなるように設定され、
前記駆動レバーの回転角度は、１８０度未満に設定されている
ことを特徴とする請求項２に記載の露光条件切替装置。
【請求項４】
前記移動案内手段は、前記円弧状の軌道を形成するレール部を含み、
前記駆動レバーの回転支点部は、前記レール部の途中の途切れ部分に設けられている
ことを特徴とする請求項２または３に記載の露光条件切替装置。
【請求項５】
請求項１〜４のいずれか一項に記載の露光条件切替装置と、
前記露光条件切替装置を通して入射する光を受光する撮像素子と、
を備えることを特徴とするカメラ。
【発明の詳細な説明】
【技術分野】
【０００１】
本発明は、露光条件切替装置とこれを備えるカメラに関する。
【背景技術】
【０００２】
ノート型のパーソナルコンピュータや携帯型の電話機、あるいは車両や監視用機器などに、カメラ（デジタルスチルカメラ、ビデオカメラなど）が搭載されるようになっている。カメラには、撮像面を有する撮像素子と、この撮像素子の撮像面に光を入射するときの露光条件を切り替える露光条件切替装置と、を備えたものがある。
【０００３】
ここで記述する露光条件切替装置とは、典型的にはフィルタ切替装置をいうが、これに限らず、絞り装置、シャッタ装置等を単独または複合的に備える装置をいう。フィルタ切替装置は、入射光路に対して光学フィルタを出し入れ（抜き差し）したり、入射光路に配置する光学フィルタを切り替えたりするものである。絞り装置は、絞り開口の大きさを変えることで露光量を調整するものである。シャッタ装置は、シャッタの開閉によって露光時間を調整するものである。
【０００４】
従来、この種の露光条件切替装置の一例として、特許文献１に記載されたものが知られている。この露光条件切替装置は、筐体の内部に露光条件切替機構としてのフィルタ切替機構を収容した構成となっている。
【先行技術文献】
【特許文献】
【０００５】
【特許文献１】特開２００９−９２８６６号公報
【発明の概要】
【発明が解決しようとする課題】
【０００６】
近年、カメラを小型化する要求があるなかで、撮像素子のサイズが大きくなる傾向にある。この背景には、画像の高精細化への対応として撮像素子の画素数が増加し、これにともなって撮像面を広く確保する必要が生じているという事情がある。このような事情により、カメラに用いられる露光条件切替装置において、以下のような不都合が生じている。
【０００７】
すなわち、撮像素子（撮像面）のサイズが大きくなると、その分だけ露光条件の切り替えに必要な動作量を多く確保する必要がある。たとえば、露光条件切替装置がフィルタ切替装置である場合は、光学フィルタの切り替え（抜き差し等）に必要な動作量を多く確保する必要がある。そうした場合、上記特許文献１に記載された露光条件切替装置（以下、「従来の装置」ともいう）では、小型化の要求に十分に対応できないことが判明した。その理由は、以下のとおりである。
【０００８】
まず、従来の装置においては、２つの光学フィルタをフィルタ支持部材に取り付け、このフィルタ支持部材を回転させることにより、光学フィルタの切り替えを行う構成になっている。この構成を採用すると、フィルタ支持部材の動作がコンパクトになるため小型化に有利である反面、光学フィルタの切り替えに必要な動作量を増やす場合に、フィルタ支持部材を回転させる角度範囲を広げたり、その回転中心から光学フィルタまでの距離を長くしたりする必要がある。その結果、フィルタ切替機構を収容する筐体のサイズが大きくなり、露光条件切替装置全体が大型化してしまう。
【０００９】
本発明の主な目的は、従来の装置よりも露光条件切替装置全体を大型化することなく、露光条件の切り替えに必要な動作量を増やすことができる技術を提供することにある。
【課題を解決するための手段】
【００１０】
本発明の第１の態様は、
露光条件切替用の光学ユニットと、
前記光学ユニットを移動可能に支持する筐体と、
前記筐体に取り付けられるとともに、前記光学ユニットを移動させて露光条件を切り替える駆動手段と、
を備え、
前記筐体は、当該筐体の外側の空間に円弧中心をもつ円弧状の軌道を形成し、この軌道に沿って前記光学ユニットの移動を案内する移動案内手段を有する
ことを特徴とする露光条件切替装置である。
【００１１】
本発明の第２の態様は、
前記光学ユニットは、当該光学ユニットの移動方向と交差する方向に沿って直線状に形成された長孔を有し、
前記駆動手段は、前記長孔に嵌合するピン部を有するとともに、前記ピン部と反対側に回転支点部を有し、当該回転支点部を中心に前記筐体に回転自在に支持された駆動レバーと、前記駆動レバーを介して前記光学ユニットを移動させる駆動源ユニットと、を有し、
前記駆動レバーは、前記回転支点部を中心としたピッチ円直径で形成された第１歯車部を有し、
前記駆動源ユニットは、前記第１歯車部に噛み合うとともに、前記第１歯車部よりもピッチ円直径が大きい第２歯車部を有する回転体を有する
ことを特徴とする上記第１の態様に記載の露光条件切替装置である。
【００１２】
本発明の第３の態様は、
前記駆動レバーは、前記円弧状の軌道の外周側に配置され、
前記円弧状の軌道が描く円弧と前記駆動レバーが回転するときに前記ピン部が描く円弧とが、互いに逆向きとなるように設定され、
前記駆動レバーの回転角度は、１８０度未満に設定されている
ことを特徴とする上記第２の態様に記載の露光条件切替装置である。
【００１３】
本発明の第４の態様は、
前記移動案内手段は、前記円弧状の軌道を形成するレール部を含み、
前記駆動レバーの回転支点部は、前記レール部の途中の途切れ部分に設けられている
ことを特徴とする上記第２または第３の態様に記載の露光条件切替装置である。
【００１４】
本発明の第５の態様は、
上記第１〜第４の態様のいずれかに記載の露光条件切替装置と、
前記露光条件切替装置を通して入射する光を受光する撮像素子と、
を備えることを特徴とするカメラである。
【発明の効果】
【００１５】
本発明によれば、従来の装置よりも露光条件切替装置全体を大型化することなく、露光条件の切り替えに必要な動作量を増やすことができる。
【図面の簡単な説明】
【００１６】
【図１】本発明の実施の形態に係るカメラの構成例を示す図である。
【図２】本発明の実施の形態に係るカメラの構成例を上側から見た分解斜視図である。
【図３】本発明の実施の形態に係る露光条件切替装置の構成例を示す図である。
【図４】本発明の実施の形態に係る露光条件切替装置の構成例を下側から見た分解斜視図である。
【図５】フィルタユニットの構成例を示す図である。
【図６】駆動源ユニットの構成例を示す図である。
【図７】駆動レバーの構成を示す図である。
【図８】組立完了後の駆動源ユニットの斜視図である。
【図９】ベース部材に駆動源ユニットと駆動レバーを取り付けたときの配置状態を示す図である。
【図１０】組立完了後の露光条件切替装置を上側および下側から見た斜視図である。
【図１１】回転子ユニット、駆動レバーおよびフィルタユニットの動作状態を説明する図である。
【図１２】フィルタユニットの移動による光学フィルタの切り替え動作を説明する図である。
【発明を実施するための形態】
【００１７】
以下、本発明の実施の形態について図面を参照しつつ詳細に説明する。
本発明の実施の形態においては、次の順序で説明を行う。
１．カメラの構成
２．露光条件切替装置の構成
３．カメラの製造方法
４．露光条件切替装置の動作
５．実施の形態に係る効果
６．変形例等
【００１８】
＜１．カメラの構成＞
図１は本発明の実施の形態に係るカメラの構成例を示すもので、図中（Ａ）は平面図、（Ｂ）はＤ１−Ｄ１断面図を示している。また、図２は本発明の実施の形態に係るカメラの構成例を上側から見た分解斜視図である。本明細書においては、カメラ１に入射する光の進行方向の上流側を「上側」とし、下流側を「下側」とする。
【００１９】
図示したカメラ１は、大きくは、撮像ユニット２と露光条件切替装置３とを備えた構成となっている。撮像ユニット２は、露光条件切替装置３を介して入射する光を受光する撮像素子６を備えるものである。露光条件切替装置３は、撮像素子６に入射する光の露光条件を切り替えるものである。撮像ユニット２と露光条件切替装置３は、２つのネジ４を用いて連結され、これによってカメラ１全体が一体化されている。
【００２０】
（撮像ユニット）
撮像ユニット２は、素子実装基板５と撮像素子６とを有している。素子実装基板５は矩形に形成されている。素子実装基板５の外形寸法は、露光条件切替装置３の外形寸法よりも大きくなっている。素子実装基板５の四隅には貫通孔７が形成されている。貫通孔７は、たとえば図示しないボックス型の監視カメラの筐体部分にカメラ１を取り付けるための孔である。素子実装基板５には２つの取付用孔８が設けられている。取付用孔８は、撮像素子６の実装位置を間に挟んで、一方と他方に設けられている。撮像素子６は、たとえば、ＣＣＤ（Charge Coupled Device）撮像素子、ＣＭＯＳ（Complementary Metal Oxide Semiconductor）撮像素子等を用いて構成されている。撮像素子６は、素子実装基板５の中央部に実装されている。撮像素子６は、撮像面（素子上面）を露光条件切替装置３側に向けた状態で配置されている。
【００２１】
＜２．露光条件切替装置の構成＞
図３は本発明の実施の形態に係る露光条件切替装置の構成例を示すもので、図中（Ａ）は平面図、（Ｂ）はＤ２−Ｄ２断面図を示している。また、図４は本発明の実施の形態に係る露光条件切替装置の構成例を下側から見た分解斜視図である。露光条件切替装置３は、ベース部材１１と、カバー部材１２と、撮像ユニット取付用部材１３と、フィルタ切替機構１４と、を備えた構成となっている。ベース部材１１およびカバー部材１２は、露光条件切替装置３の「筐体」を構成する部材である。撮像ユニット取付用部材１３は、撮像ユニット２を露光条件切替装置３に取り付けるための部材である。撮像ユニット取付用部材１３は、露光条件切替装置３と組み合わせて使用する撮像ユニット２の種類に応じて交換できるように、ベース部材１１に対して着脱可能に構成されている。フィルタ切替機構１４は、露光条件切替機構の一例として設けられたものである。
【００２２】
（ベース部材）
ベース部材１１は、たとえば、樹脂の一体成形によって形成されている。ベース部材１１は、全体に底の浅い箱形に形成されている。ベース部材１１は、外形が少し丸みを帯びた略四角形の底板２１と、この底板２１の周縁部から起立した周壁２２とを一体に有している。底板２１には矩形の開口部２３が形成されている。開口部２３は露光用に設けられたものである。開口部２３は底板２１のほぼ中央部に貫通状態で設けられている。また、底板２１の下面側には、開口部２３の周囲を矩形に縁取るように段差（凹み）２４が形成されている。
【００２３】
底板２１の上面側には、図２に示すように、レール部２５，２６と、支軸２７とが設けられている。レール部２５，２６は、筐体（１１，１２）の外側に円弧中心Ｐ１（図２）をもつ円弧状の軌道を形成し、この軌道に沿ってフィルタユニット５５の移動を案内する移動案内手段の構成要素となる。このため、レール部２５，２６は、それぞれＰ１位置を中心に、大小異なる曲率半径で円弧状に形成されている。レール部２５，２６が形成する円弧の中心Ｐ１は、ベース部材１１から大きく外れた空間上に設定されている。レール部２５，２６は、それぞれ底板２１から起立した状態でレール状に形成されるとともに、開口部２３を間に挟んで互いに対向する状態に形成されている。また、レール部２５は、ベース部材１１の相対向する２つの周壁２２の間に掛け渡すように形成され、レール部２６も、それら２つの周壁２２の間に掛け渡すように形成されている。ただし、レール部２６は、一方の周壁２２から他方の周壁２２に至る円弧の途中（中間部分）で、部分的に途切れている。そして、この途切れた部分に支軸２７が設けられている。支軸２７は、底板２１の上面から垂直に起立した状態に設けられている。
【００２４】
ベース部材１１の下面側には、中継基板２９（図４）が取り付けられている。中継基板２９は、小片のプリント配線板を用いて構成されている。中継基板２９には、コネクタケーブル３０が電気的かつ機械的に接続されている。中継基板２９およびコネクタケーブル３０は、後述するフィルタ切替機構１４の駆動源に対して、駆動用の電力（本形態例では電流）を供給するためのものである。
【００２５】
ベース部材１１には、収容部２８が形成されている。収容部２８は、フィルタ切替機構１４の駆動源を収容する部分である。収容部２８は、図２のようにベース部材１１の上面側から見ると凹んだ状態になっており、図４のようにベース部材１１の下面側から見ると突出した状態になっている。収容部２８には、一対の係止爪３１と、一対（図例では１つのみ表記）の小孔３２が設けられている。係止爪３１は、収容部２８の底部から上側に起立する状態で形成されている。一対の小孔３２は、一方の係止爪３１の近傍に設けられている。各々の小孔３２は、収容部２８の底部を貫通する状態で形成されている。
【００２６】
また、ベース部材１１には複数の取付用孔３３が設けられている。取付用孔３３は、ベース部材１１にカバー部材１２を取り付けるために設けられたものである。取付用孔３３は、ベース部材１１の外周部の近傍に合計３つ設けられている。加えて、ベース部材１１には複数の取付用孔３４が設けられている。取付用孔３４は、ベース部材１１に撮像ユニット取付用部材１３を取り付けるために設けられたものである。取付用孔３４は、ベース部材１１の外周部の近傍に、上述した取付用孔３３と位置をずらして合計３つ設けられている。
【００２７】
（カバー部材）
カバー部材１２は、３つのネジ３６を用いてベース部材１１に固定されるようになっている。カバー部材１２は、たとえば、樹脂の一体成形によって形成されている。カバー部材１２は、ベース部材１１と同様の外形をもって板状に形成されている。カバー部材１２には矩形の開口部３７が設けられている。開口部３７は露光用に設けられたものである。開口部３７は、ベース部材１１とカバー部材１２を組み付けたときに、ベース部材１１の開口部２３と同心状に配置されるようになっている。
【００２８】
カバー部材１２には３つの取付用孔３８が形成されている。取付用孔３８は、上述したベース部材１１の取付用孔３３に対応して形成されたものである。取付用孔３８と取付用孔３３は、互いに同じ位置関係で設けられている。そして、ベース部材１１とカバー部材１２を組み付けたときには、相対応する取付用孔３３、３８どうしが同心状に配置されるようになっている。また、取付用孔３３は雌ネジが形成されたネジ孔になっており、取付用孔３８は取付用孔３３よりも一回り大きい貫通孔になっている。
【００２９】
カバー部材１２には３つの抜き孔３９が形成されている。抜き孔３９は、上述したベース部材１１の取付用孔３４に対応して形成されたものである。抜き孔３９と取付用孔３４は、互いに同じ位置関係で設けられている。そして、ベース部材１１とカバー部材１２を組み付けたときには、相対応する取付用孔３４と抜き孔３９が同心状に配置されるようになっている。
【００３０】
カバー部材１２の上面側には、開口部３７の周囲を円形に縁取るように段差（凹み）４０が形成され、その反対側（裏側）となるカバー部材１２の下面側にも、開口部３７の周囲を円形に縁取るように段差（凹み）４１が形成されている。加えて、カバー部材１２の下面側には、２本の案内溝４２，４３が帯状に形成されている。案内溝４２，４３は、上述したレール部２５，２６とともに移動案内手段を構成するものである。案内溝４２，４３は、段差４１と同一面をなすように少し凹んだ状態で形成されている。また、案内溝４２，４３は、開口部３７を間に挟んで、一方と他方にそれぞれ円弧状に形成されている。案内溝４２の内側の縁部４２ａは、上述したベース部材１１のレール部２５と同等の曲率半径で円弧状に形成され、案内溝４３の外側の縁部４３ａは、レール部２６と同等の曲率半径で円弧状に形成されている。
【００３１】
また、カバー部材１２の下面側には、押さえ部４４が形成されている。押さえ部４４は、段差４１と同様に少し凹んだ状態で形成されている。押さえ部４４は、ベース部材１１にカバー部材１２を組み付けたときに、収容部２８と対向する状態で配置されるようになっている。
【００３２】
（撮像ユニット取付用部材）
撮像ユニット取付用部材１３は、たとえば、樹脂の一体成形によって形成されている。撮像ユニット取付用部材１３は、全体に略矩形の枠状に形成されている。撮像ユニット取付用部材１３には矩形の開口部４５が形成されている。開口部４５は露光用に設けられたものである。開口部４５は、ベース部材１１の開口部２３よりも大きな開口寸法で形成されている。開口部４５の開口寸法は、撮像素子６の外形寸法と同等か、それよりも少し大きく設定されている。また、撮像ユニット取付用部材１３には、素子受け入れ部４６が形成されている。素子受け入れ部４６は、撮像ユニット取付用部材１３に撮像ユニット２を取り付けるときに、撮像素子６を受け入れる部分である。素子受け入れ部４６は、撮像素子６との干渉を避けるように断面凹状に形成されている。
【００３３】
撮像ユニット取付用部材１３の外周部には、３つの耳部４７と、２つのボス部４８が一体に形成されている。耳部４７には取付用孔４９が形成され、ボス部４８には取付用孔５０が形成されている。取付用孔４９は、上述したベース部材１１の取付用孔３４に対応して形成されている。取付用孔４９と取付用孔３４は、互いに同じ位置関係で設けられている。そして、ベース部材１１に撮像ユニット取付用部材１３を組み付けたときに、相対応する取付用孔４９，３４どうしが同心状に配置されるようになっている。また、取付用孔３４は雌ネジが形成されたネジ孔になっており、取付用孔４９は取付用孔３４よりも一回り大きい貫通孔になっている。
【００３４】
取付用孔５０は、上述した素子実装基板５の取付用孔８に対応して形成されている。取付用孔５０と取付用孔８は、互いに同じ位置関係で設けられている。そして、ベース部材１１に撮像ユニット取付用部材１３を組み付けたときに、相対応する取付用孔５０，８どうしが同心状に配置されるようになっている。また、取付用孔５０は雌ネジが形成されたネジ孔になっており、取付用孔８は取付用孔５０よりも一回り大きい貫通孔になっている。撮像ユニット取付用部材１３は、３つのネジ５１を用いてベース部材１１に固定されるようになっている。
【００３５】
（フィルタ切替機構）
フィルタ切替機構１４は、フィルタユニット５５と、駆動源ユニット５６と、駆動レバー５７と、を備えた構成となっている。フィルタユニット５５は、「露光条件切替用の光学ユニット」に相当するものである。駆動源ユニット５６および駆動レバー５７は、筐体（１１，１２）に取り付けられるとともに、フィルタユニット５５を移動させて露光条件を切り替える「駆動手段」を構成するものである。駆動源ユニット５６は、フィルタ切替機構１４の駆動源に相当するものである。駆動源ユニット５６は、コイルボビン５８と、回転子ユニット５９とによって構成されている。回転子ユニット５９は、「回転体」に相当するものである。以下、それぞれの構成について説明する。
【００３６】
（フィルタユニット）
図５はフィルタユニットの構成例を示すもので、図中（Ａ）は分解斜視図、（Ｂ）は組立斜視図を示している。図示のように、フィルタユニット５５は、２つの光学フィルタ６１，６２と、これら２つの光学フィルタ６１，６２を平面的に並べて支持するフィルタ支持部材６３とを用いて構成されている。
【００３７】
２つの光学フィルタ６１，６２は、たとえば、次のようなフィルタの組み合わせによって構成されている。すなわち、一方の光学フィルタ６１は、赤外線カットフィルタによって構成され、他方の光学フィルタ６２は、ダミーフィルタによって構成されている。赤外線カットフィルタは、たとえば、赤外線を吸収することによって当該赤外線の通過を遮断する特性を有する光学フィルタである。ダミーフィルタは、少なくとも赤外線を透過する特性を有する光学フィルタである。光学フィルタ６１，６２は、いずれも透明な基板（たとえば、ガラス基板）をベース基板として構成されている。また、光学フィルタ６１，６２を構成する各ベース基板は、互いに光の屈折率が等しいものとなっている。そして、具体的な構成上の相違点として、たとえば、一方の光学フィルタ６１を構成するベース基板の主面には、可視光を透過し且つ赤外線を吸収する膜が形成され、他方の光学フィルタ６２を構成するベース基板の主面には、当該膜が形成されていない構成となっている。
【００３８】
フィルタユニット５５に赤外線カットフィルタとダミーフィルタを設ける理由は、光学フィルタの配置状態を切り替えたときに、その切り替えの前後で焦点距離（光学系の主点から焦点までの距離）にずれが生じないようにするためである。さらに詳述すると、ダミーフィルタがない場合は、赤外線カットフィルタを入射光路上に配置した状態と配置しない状態で、そこを通過する光の屈折率の差によって焦点距離にずれが生じる。これに対して、赤外線カットフィルタと差し替えるかたちでダミーフィルタを入射光路上に配置すれば、光の屈折率差による焦点距離のずれが解消される。以上の理由でフィルタユニット５５にダミーフィルタを設けている。
【００３９】
フィルタ支持部材６３は、全体に略扇形に形成されている。ここで記述する「略扇形」とは、円の２つの半径とそれらを挟む大小２つの円弧によって囲まれる円の一部をいう。フィルタ支持部材６３を形作る２つの円弧のうち、大径側の円弧の曲率半径は、上述したレール部２５の曲率半径にあわせて設定され、小径側の円弧の曲率半径は、上述したレール部２６の曲率半径にあわせて設定されている。
【００４０】
フィルタ支持部材６３には、２つのフィルタ支持枠６４，６５と、１つの長孔６６とが設けられている。フィルタ支持枠６４，６５は、それぞれに対応する光学フィルタ６１，６２の外形にあわせて矩形の枠状に形成されている。長孔６６は、２つのフィルタ支持枠６４，６５の間（境界部分）に形成されている。また、長孔６６は、フィルタ支持部材６３の移動方向と交差する方向に直線状に形成されている。さらに詳述すると、２つのフィルタ支持枠６４，６５は、それぞれベース部材１１の開口部２３に配置されたときに傾かないように、あらかじめフィルタ支持部材６３の円弧のカーブにあわせて少し傾いた状態（略Ｖ字形）に配置されている。このため、２つのフィルタ支持枠６４，６５の境界部分の幅は、上述した小径側の円弧から大径側の円弧に向かって徐々に広くなっており、この幅広部分（略Ｖ字形の部分）に長孔６６が形成されている。長孔６６は、一定の幅で細長く一直線状に形成されている。長孔６６の長軸の方向は、この長軸が上記大小２つの円弧と交差する点において、各々の円弧の法線方向に一致している。
【００４１】
フィルタ支持枠６４，６５の内周部は、それぞれに対応する光学フィルタ６１，６２の外周縁を受けるために段付き構造になっている。フィルタ支持枠６４，６５の外周部には、それぞれフィルタ留め付け用の爪部６７，６８が設けられている。爪部６７，６８は、フィルタ支持枠６４，６５の２つの辺部に設けられている。また、フィルタ支持部材６３の大径側の円弧部分には２つの突出片７１が設けられ、同小径側の円弧部分には３つの突出片７２が設けられている。各々の突出片７１，７２は、フィルタ支持部材６３の厚み方向に突出している。
【００４２】
（駆動源ユニット）
図６は駆動源ユニットの構成例を示すもので、図中（Ａ）は上側から見た斜視図、（Ｂ）は下側から見た斜視図である。駆動源ユニット５６を構成するコイルボビン５８および回転子ユニット５９のうち、コイルボビン５８は、コイル７３とボビン７４とを用いて構成され、回転子ユニット５９は、永久磁石７５と回転ホルダ７６とを用いて構成されている。
【００４３】
（コイルボビン）
コイル７３は、ボビン７４に巻装される空芯コイルである。ボビン７４は、絶縁材料によって構成されている。ボビン７４は、たとえば、樹脂の一体成形によって形成されるものである。ボビン７４には２本のリードピン７７が設けられている。リードピン７７は、コイル７３に電流を供給するためのものである。コイル７３の両端部は、それぞれに対応するリードピン７７に接続される。リードピン７７は、たとえば、樹脂の一体成形によってボビン７４を形成する場合に、あらかじめ成形用の金型にセットしておくことにより、ボビン７４に一体的に設けられるものである。
【００４４】
ボビン７４には、４つの板部７８，７９，８０，８１が一体に形成されている。このうち、２つの板部７８，７９は、上下方向で対向する状態で配置され、他の２つの板部８０，８１は、左右方向で対向する状態に配置されている。以降の説明では、「板部７８」を「上板部７８」といい、「板部７９」を「下板部７９」といい、「板部８０」および「板部８１」をそれぞれ「側板部８０」および「側板部８１」という。
【００４５】
上板部７８の中央部には円形の軸孔８２ａが形成され、下板部７９の中央部にも円形の軸孔８２ｂが形成されている。これらの軸孔８２ａ，８２ｂは、上板部７８および下板部７９の相対向する位置に同心状に設けられている。また、上板部７８の下面には、軸孔８２ａに向かって傾斜したガイド溝８３ａ（図９（Ｂ）を参照）が形成され、下板部７９の上面には、軸孔８２ｂに向かって傾斜したガイド溝８３ｂが形成されている。加えて、上板部７８の上面と下板部７９の下面には、それぞれ２つずつ突起８４が形成されている。これらの突起８４は、ボビン７４にコイル７３を装着した場合に、コイル７３の抜けを防止するものである。
【００４６】
ボビン７４には前板部８５が一体に形成されている。前板部８５は、左右の側板部８０，８１を連結するかたちで、それらの間に掛け渡すように形成されている。前板部８５には開口部８６が形成されている。開口部８６は横長の矩形に形成されている。また、側板部８０の外側面には引っ掛け部８７が形成され、側板部８１の外側面にも引っ掛け部８８が形成されている。
【００４７】
（回転子ユニット）
回転子ユニット５９を構成する永久磁石７５および回転ホルダ７６のうち、永久磁石７５は、扁平の直方体に形成されている。永久磁石７５の磁界は、永久磁石７５の長手方向の一方をＮ極、他方をＳ極とした磁界となっている。回転ホルダ７６は、たとえば、樹脂の一体成形によって形成されている。回転ホルダ７６は、永久磁石７５を内包するように保持し、この永久磁石７５と一体に回転する構成となっている。
【００４８】
回転ホルダ７６は、４つの板部９１，９２，９３，９４を一体に有している。このうち、２つの板部９１，９２は、上下方向で対向する状態で配置され、他の２つの板部９３，９４は、左右方向で対向する状態に配置されている。以降の説明では、「板部９１」を「上板部９１」といい、「板部９２」を「下板部９２」といい、「板部９３」および「板部９４」をそれぞれ「側板部９３」および「側板部９４」という。
【００４９】
上板部９１の中央部には軸部９５ａが設けられ、下板部９２の中央部にも軸部９５ｂが設けられている。軸部９５ａは、上板部９１の上面に上向きに突出する状態で設けられ、軸部９５ｂは、下板部９２の下面に下向きに突出する状態で設けられている。
【００５０】
回転ホルダ７６には歯車部９６と突き当て部９７が形成されている。歯車部９６は、上板部９１から一体に延出する状態で形成されている。歯車部９６のピッチ円の中心は、上下の軸孔８２ａ，８２ｂの中心を通る軸上に位置している。歯車部９６の歯は、軸孔８２ａ，８２ｂの中心を通る軸回りに約７０度の角度範囲で形成されている。突き当て部９７は、上板部９１と下板部９２を連結するかたちで、それらの間に掛け渡すように形成されている。爪部９８は上板部９１の端部に形成されている。爪部９８は、回転ホルダ７６に収容される永久磁石７５の抜けを防止するものである。
【００５１】
（駆動レバー）
図７は駆動レバーの構成を示すもので、図中（Ａ）は平面図、（Ｂ）は断面図を示している。駆動レバー５７は、駆動源ユニット５６で発生した回転方向の駆動力を受けて回転（揺動）することにより、フィルタユニット５５を移動させるものである。駆動レバー５７の長さ方向の一端部（基端部）には、軸孔１００と歯車部１０１が設けられている。また、駆動レバー５７の長さ方向の他端部（先端部）には、ピン部１０２が設けられている。軸孔１００は、貫通孔であって、上述したベース部材１１の支軸２７（図２）に対応して設けられたものである。軸孔１００は、支軸２７に嵌合することにより、駆動レバー５７の「回転支点部」を構成する。歯車部１０１は、上述した歯車部９６に対応して設けられたものである。歯車部１０１のピッチ円の中心は、駆動レバー５７の回転支点部となる軸孔１００の中心を通る軸上に位置している。歯車部１０１のピッチ円の直径は、上述した歯車部９６のピッチ円の直径よりも小さく設定されている。また、歯車部１０１の歯は、上述した歯車部９６の歯よりも広い角度範囲で形成されている。具体的には、歯車部１０１の歯は、軸孔１００の中心を通る軸回りに約１８０度の角度範囲で形成されている。また、歯車部１０１の歯は、駆動レバー５７の長軸Ｊを境にして、一方と他方に約９０度ずつの角度範囲で形成されている。駆動レバー５７の長軸Ｊは、軸孔１００の中心とピン部１０２の中心を結ぶ直線の軸である。ピン部１０２は、フィルタユニット５５の長孔６６（図５）に対応して設けられたものである。
【００５２】
＜３．カメラの製造方法＞
次に、「カメラの製造方法」を、「露光条件切替装置の組立工程」と、「撮像ユニットの取付工程」に大別して説明する。なお、カメラ１を製造する場合の手順は、以下に記述する手順に限らず、組立に支障のない範囲で適宜入れ替えが可能である。
【００５３】
（露光条件切替装置の組立工程）
露光条件切替装置の組立工程は、「フィルタユニットの組立工程」と、「回転子ユニットの組立工程」と、「駆動源ユニットの組立工程」と、「後工程」と、を含む。以下、各工程について説明する。
【００５４】
（フィルタユニットの組立工程）
この工程では、２つの光学フィルタ６１，６２とフィルタ支持部材６３を用いてフィルタユニット５５を組み立てる。フィルタユニット５５を組み立てる場合は、フィルタ支持部材６３のフィルタ支持枠６４，６５に、それぞれに対応する光学フィルタ６１，６２を取り付ける。その際、フィルタ支持枠６４に対しては２つの爪部６７，６８に光学フィルタ６１を引っ掛けるようにして、光学フィルタ６１を留め付ける。また、爪部６７に光学フィルタ６１の一辺を引っ掛けた状態で、フィルタ支持枠６４に光学フィルタ６１を押し付けることにより、爪部６８を光学フィルタ６１の他辺に引っ掛けた状態にする。同様に、フィルタ支持枠６５に対しては２つの爪部６７，６８に光学フィルタ６２を引っ掛けるようにして、光学フィルタ６２を留め付ける。
【００５５】
（回転子ユニットの組立工程）
この工程では、永久磁石７５と回転ホルダ７６を用いて回転子ユニット５９を組み立てる。回転子ユニット５９を組み立てる場合は、上板部９１と下板部９２を永久磁石７５により少し押し広げながら、回転ホルダ７６の内部に永久磁石７５を差し込む。このとき、永久磁石７５の端部が突き当て部９７に突き当たるまで、永久磁石７５を押し込む。そうすると、突き当て部９７と反対側で永久磁石７５の端部に上板部９１ｂの爪部９８が引っ掛かる（図９（Ｂ）参照）。また、永久磁石７５が上板部９１と下板部９２との間に挟み込まれる。
【００５６】
（駆動源ユニットの組立工程）
この工程では、コイル７３、ボビン７４および回転子ユニット５９を用いて駆動源ユニット５６を組み立てる。駆動源ユニット５６を組み立てる場合は、ボビン７４の上板部７８と下板部７９の間に回転子ユニット５９を差し込む。このとき、回転ホルダ７６の軸部９５ａをボビン７４のガイド溝８３ａに沿わせるとともに、回転ホルダ７６の軸部９５ｂをボビン７４のガイド溝８３ｂに沿わせる。また、ボビン７４の上板部７８と下板部７９を、それぞれに対応する軸部９５ａ，９５ｂにより押し広げるように弾性変形させる。そして、軸部９５ａを上板部７８の軸孔８２ａに嵌合させるとともに、軸部９５ｂを下板部７９の軸孔８２ｂに嵌合させる。これにより、ボビン７４に挿入された回転子ユニット５９は、上下の軸部９５ａ，９５ｂを中心に双方向に回転（回動）可能に支持される。また、回転ホルダ７６の歯車部９６は、ボビン７４の開口部８６から外側に突出した状態に配置される。
【００５７】
次に、ボビン７４にコイル７３を取り付ける。コイル７３は、あらかじめボビン７４の構造に適合する形状で巻線されたものを用意し、これをボビン７４の上板部７８および下板部７９と、２つの側板部８０，８１との間に嵌め込むようにする。その際、ボビン７４に嵌め込んだコイル７３を奥側に押し込むと、上板部７８と下板部７９にそれぞれ設けられている突起８４がコイル７３の端部に引っ掛かる。その後、コイル７３の巻線の一端と他端を、それぞれ対応するリードピン７７に接続する。図８は組立完了後の駆動源ユニットの斜視図である。
【００５８】
（後工程）
この工程では、上述した組立工程で得られたフィルタユニット５５と駆動源ユニット５６に加えて、駆動レバー５７、ベース部材１１、カバー部材１２、撮像ユニット取付用部材１３を用いて、露光条件切替装置３を組み立てる。露光条件切替装置３を組み立てる場合は、フィルタユニット５５、駆動源ユニット５６および駆動レバー５７をそれぞれベース部材１１に取り付ける。
【００５９】
その際、フィルタユニット５５については、底板２１の上にフィルタユニット５５を被せるようにして、レール部２５とレール部２６の間にフィルタユニット５５をセットする。駆動源ユニット５６については、ベース部材１１の収容部２８にセットする。その際、ボビン７４のリードピン７７を収容部２８の小孔３２に挿入する。これにより、リードピン７７は、ベース部材１１の下面側に突出するため、この突出部分を中継基板２９に半田付け等により接続する。また、収容部２８に設けられた一対の係止爪３１を、それぞれに対応するボビン７４の引っ掛け部８７に引っ掛ける。これにより、コイル７３とコネクタケーブル３０とが、リードピン７７および中継基板２９を介して電気的に接続された状態となる。また、駆動源ユニット５６のボビン７４が一対の係止爪３１により収容部２８に固定された状態となる。
【００６０】
駆動レバー５７については、その基端部に設けられた軸孔１００をベース部材１１の支軸２７に嵌合させるとともに、歯車部１０１をボビン７４の歯車部９６に噛み合わせる。また、駆動レバー５７の先端部のピン部１０２をフィルタユニット５５の長孔６６に嵌合させる。このとき、駆動レバー５７のピン部１０２は長孔６６の長軸方向に移動自在に嵌合される。また、駆動レバー５７は、レール部２５，２６が形成する円弧状の軌道の外周側に配置される。次に、３つのネジ３６を用いてベース部材１１にカバー部材１２を取り付ける。これにより、フィルタユニット５５、駆動源ユニット５６および駆動レバー５７が、開口部３７を除いて、カバー部材１２により外部から遮蔽される。また、ベース部材１１の開口部２３とカバー部材１２の開口部３７とが、同心状に配置される。図９はベース部材に駆動源ユニットと駆動レバーを取り付けたときの配置状態を示すもので、図中（Ａ）は平面図、（Ｂ）はＤ３−Ｄ３断面図を示している。図１０は組立完了後の露光条件切替装置を上側および下側から見た斜視図である。
【００６１】
（撮像ユニットの取付工程）
次に、撮像ユニットの取付工程について説明する。
まず、３つのネジ５１を用いてベース部材１１に撮像ユニット取付用部材１３を取り付ける。このとき、撮像ユニット取付用部材１３の開口部４５は、ベース部材１１の開口部２３と同心状に配置される。次に、２つのネジ４を用いて撮像ユニット取付用部材１３に撮像ユニット２を取り付ける。なお、ここでは、ベース部材１１に撮像ユニット取付用部材１３を取り付ける工程を撮像ユニットの取付工程に含めているが、その前の露光条件切替装置の組立工程に含めてもよい。
【００６２】
＜４．露光条件切替装置の動作＞
次に、露光条件切替装置の動作について説明する。
露光条件切替装置３においては、図示しない駆動制御部からコネクタケーブル３０を通してコイル７３に電流を供給することにより、駆動源ユニット５６が駆動する。駆動源ユニット５６が駆動すると、これにしたがって駆動レバー５７が回転（揺動）する。また、駆動レバー５７が回転すると、フィルタユニット５５が円弧状の軌道に沿って移動する。フィルタユニット５５が移動すると、開口部２３，３７，４５の入射光路上に配置される光学フィルタ６１，６２が切り替わり、それにしたがって露光条件も切り替わる。以下、さらに詳しく説明する。
【００６３】
まず、コイル７３に電流を供給すると、駆動源ユニット５６が次のように動作する。すなわち、コイル７３に電流を供給すると、コイル７３の周りに磁界（以下、「コイル磁界」という）が発生する。そうすると、コイル７３の内側に配置されている永久磁石７５の磁極に、コイル磁界による磁気吸引力および磁気反発力が作用する。このため、永久磁石７５を内包する回転子ユニット５９は、軸部９５ａ，９５ｂを中心に一方向に回転した状態となる。また、その状態からコイル７３に供給する電流の向きを反転させると、それに応じてコイル磁界の向きが反転する。このため、回転子ユニット５９は、軸部９５ａ，９５ｂを中心に他方向に回転した状態となる。
【００６４】
上述のようにコイル７３への通電によって回転子ユニット５９が回転すると、駆動源ユニット５６と駆動レバー５７の間では、歯車部９６，１０１どうしの噛み合いよって駆動力（回転力）が伝達される。このため、回転子ユニット５９が回転すると、その駆動力を受けて駆動レバー５７が支軸２７を中心に回転する。このとき、回転子ユニット５９の回転方向と駆動レバー５７の回転方向は、互いに逆方向になる。また、駆動レバー５７のピン部１０２はフィルタユニット５５の長孔６６に移動自在に嵌合しているため、駆動レバー５７が支軸２７を中心に回転すると、その回転方向および回転角度（回転量）にしたがってフィルタユニット５５が移動し、かつピン部１０２が長孔６６に沿って移動する。
【００６５】
図１１は回転子ユニット、駆動レバーおよびフィルタユニットの動作状態を説明する図である。まず、図１１（Ａ）に示すように、回転子ユニット５９を図の時計回り方向に回転させた場合は、駆動レバー５７が反時計回り方向に回転する。このため、フィルタユニット５５は図のＹ１方向に移動する。一方、図１１（Ｃ）に示すように、回転子ユニット５９を図の反時計回り方向に回転させた場合は、駆動レバー５７が時計回り方向に回転する。このため、フィルタユニット５５は図のＹ２方向に移動する。また、図１１（Ａ）に示す状態から図１１（Ｃ）に示す状態に切り替わる途中（中間時点）では、図１１（Ｂ）に示すように、駆動レバー５７の長軸と長孔６６の長軸が同軸上に重なって配置される。
【００６６】
露光条件切替装置３の筐体内においては、駆動レバー５７の回転によってピン部１０２が描く円弧の向きと、レール部２５，２６に沿ってフィルタユニット５５が移動するときに描く円弧の向きが、互いに逆向きになる。すなわち、駆動レバー５７の回転によってピン部１０２が描く円弧の向きは、レール部２５側に向かって凸状をなす向きになり、レール部２５，２６に沿ってフィルタユニット５５が移動するときに描く円弧の向きは、収容部２８側に向かって凸状をなす向きとなる。
【００６７】
また、回転子ユニット５９および駆動レバー５７の回転角度は、フィルタユニット５５を一方の移動終端から他方の移動終端まで移動させるときの回転角度で規定される。駆動レバー５７の回転角度は、歯車部９６，１０１のピッチ円直径の違いにより、回転子ユニット５９の回転角度よりも大きくなる。本実施の形態においては、回転子ユニット５９が回転したときに、その２倍〜３倍程度の角度で駆動レバー５７が回転するようになっている。つまり、回転子ユニット５９の回転動作が、その回転角度を増幅するかたちで駆動レバー５７に伝達される構成になっている。また、駆動レバー５７の回転角度は、ピン部１０２が軸孔１００よりも常にフィルタユニット５５寄りに位置するように、１８０度未満（好ましくは、１２０度以上、１８０未満の範囲）に設定されている。
【００６８】
ここで、フィルタユニット５５の移動について、さらに詳しく説明する。
フィルタユニット５５は、図２に示すＰ１位置を中心とした円弧状の軌道に沿って一方の他方に移動（往復移動）する。また、フィルタユニット５５の移動は、ベース部材１１に設けられた２つのレール部２５，２６と、カバー部材１２に設けられた２つの案内溝４２，４３によって案内される。フィルタユニット５５の移動に際しては、フィルタ支持部材６３の２つの突出片７１が案内溝４３の縁部４３ａに沿って摺動するとともに、フィルタ支持部材６３の３つの突出片７２が案内溝４２の縁部４２ａに沿って摺動する。
【００６９】
フィルタユニット５５の一方の移動終端は、図１２（Ａ）に示すように、フィルタ支持部材６３の一方のフィルタ支持枠６４がベース部材１１の周壁２２内面に突き当たった状態で規制される。この状態では、ベース部材１１の開口部２３に光学フィルタ６２が配置される。このとき、開口部２３，３７に対して光学フィルタ６２が傾かない状態で配置される。
【００７０】
フィルタユニット５５の他方の移動終端は、図１２（Ｂ）に示すように、フィルタ支持部材６３の他方のフィルタ支持枠６５がベース部材１１の周壁２２内面に突き当たった状態で規制される。この状態では、ベース部材１１の開口部２３に光学フィルタ６１が配置される。開口部２３，３７に対して光学フィルタ６１が傾かない状態で配置される。
【００７１】
以上のことから、駆動源ユニット５６のコイル７３に電流を供給するとともに、この電流の向きを適宜変更することにより、回転子ユニット５９および駆動レバー５７を一方または他方に回転させて、フィルタユニット５５を一方または他方に移動させることができる。また、フィルタユニット５５を一方または他方に移動させることにより、開口部２３，３７，４５を通る入射光の光路上に光学フィルタ６１，６２を選択的に配置して、露光条件を切り替えることができる。
【００７２】
＜５．実施の形態に係る効果＞
次に、本発明の実施の形態によって得られる効果について説明する。
本発明の実施の形態に係る露光条件切替装置３においては、従来の装置よりも露光条件切替装置全体を大型化することなく、露光条件の切り替えに必要な動作量を増やすことができる。以下に、その理由を述べる。
【００７３】
まず、従来の装置においては、筐体内に設けられた支点を中心にフィルタ支持部材を回転自在に支持するとともに、このフィルタ支持部材をレバーの回転によって回転させる構成を採用している。このため、光学フィルタの切り替えに必要な動作量を増やすには、フィルタ支持部材を回転させる角度範囲を広げたり、フィルタ支持部材を大型化して回転支点部から光学フィルタまでの距離を長くしたりする必要がある。そうすると、それにあわせて筐体のサイズを大きく確保する必要がある。また、場合によっては、レバーを長くしたり、レバーの回転角度を大きくしたりする必要がある。このため、光学フィルタの切り替えに必要な動作量を増やすには、露光条件切替装置全体を大型化する必要がある。また、レバーの長さや回転角度の増大によって、露光条件の切り替えに必要な動作時間も長くなる。
【００７４】
これに対して、本実施の形態に係る露光条件切替装置３においては、筐体（１１，１２）の外側の空間に円弧中心Ｐ１をもつ円弧状の軌道を形成し、その円弧状の軌道に沿ってフィルタユニット５５を移動可能に支持した構成を採用している。これにより、光学フィルタの切り替えに必要な動作量を、上記円弧状の軌道に沿うフィルタユニット５５の円運動によって大きく確保することができる。また、従来の装置のように筐体内に支点を設けて、そこを中心にフィルタ支持部材を回転させる場合に比べて、光学フィルタから支点に至るまでの部材のスペースを省くことができる。さらに、そのスペースを有効に利用して、たとえば上記実施の形態のようにベース部材１１に取付用孔３３，３４を設けることができる。
その結果、従来の装置よりも露光条件切替装置全体を大型化することなく、露光条件の切り替えに必要な動作量を増やすことができる。これにより、撮像素子６の画素数の増加にともなって撮像素子６のサイズが大きくなっても、カメラ１の小型化の要求に応えることが可能となる。
【００７５】
また、駆動レバー５７の回転支点部に歯車部１０１を設け、この歯車部１０１を回転子ユニット５９の歯車部９６に噛み合わせることにより、回転子ユニット５９よりも大きな角度で駆動レバー５７を回転させる構成を採用している。この構成によれば、従来の装置に比べて、フィルタユニット５５のサイズを小さく抑えつつ、フィルタユニット５５全体を大きく動作（円運動）させることができる。また、歯車部９６，１０１のピッチ円直径の違いにより、回転子ユニット５９の回転動作に比べて、駆動レバー５７の回転動作が非常に大きくなる。このため、たとえば、駆動レバー５７の回転角度を１００度以上に大きく確保する場合でも、それに必要な回転子ユニット５９の回転角度を９０度以下に小さく抑えることができる。したがって、駆動手段（５６，５７）をコンパクトに構成することができる。
【００７６】
また、本発明の実施の形態においては、円弧状の軌道を形成するレール部２５，２６の外周側に駆動レバー５７を配置するとともに、円弧状の軌道が描く円弧と駆動レバー５７が回転するときにピン部１０２が描く円弧とが、互いに逆向きとなるように設定している。加えて、入射光路上に配置する光学フィルタ６１，６２を切り替えるのに必要な駆動レバー５７の回転角度を１８０度未満に設定している。
【００７７】
このような構成を採用することにより、たとえばフィルタユニット５５全体を矩形に形成し、これを直線状の軌道に沿って移動させる方式（以下、「直線移動方式」という）に比べて、耐衝撃性（衝撃を受けたときの動作安定性）の向上と移動開始時の負荷軽減を図ることができる。以下に理由を述べる。
【００７８】
まず、切り替え動作を開始するときのフィルタユニット５５の移動方向は、直線移動方式に比べて、駆動レバー５７の長軸方向に近い方向になる。このため、フィルタユニット５５の移動方向に衝撃力が加わった場合に、長孔６６とピン部１０２の嵌合部分に作用する衝撃力のうち、駆動レバー５７の長軸と直交する方向（駆動レバー５７を回転させようとする方向）に作用する力の大きさが直線移動方式よりも小さくなる。したがって、外部から衝撃力を受けても駆動レバー５７が回転しづらくなる。よって、耐衝撃性を向上させることができる。
【００７９】
また、露光条件を切り替えるために駆動源ユニット５６を駆動した場合に、駆動レバー５７の回転角度を１８０度に設定すると、駆動レバー５７のピン部１０２とフィルタユニット５５の長孔６６の嵌合部分に、フィルタユニット５５の移動方向への分力がほとんど作用しない。これに対して、駆動レバー５７の回転角度を１８０度未満に設定すると、フィルタユニット５５の長孔６６の長軸に対して、駆動レバー５７の長軸が鈍角をなすように傾いた状態から回転を開始するようになる。このため、駆動源ユニット５６を駆動した場合に、駆動レバー５７のピン部１０２とフィルタユニット５５の長孔６６の嵌合部分に、フィルタユニット５５の移動方向への分力が働く。したがって、光学フィルタの切り替えに必要な駆動力、特に、切り替え動作の開始時に必要とされる駆動力を低減することができる。よって、移動開始時の負荷を軽減することができる。
【００８０】
また、駆動源ユニット５６の駆動時に働く分力によってフィルタユニット５５の移動を開始した後、回転子ユニット５９の回動動作が増幅されるかたちで駆動レバー５７が高速かつ広角に回転動作する。このため、フィルタユニット５５が移動を開始してから終了するまでの所要時間が短くなる。その結果、フィルタの切り替えに際して、フィルタユニット５５を軽快に素早く移動させることが可能となる。
【００８１】
また、本実施の形態においては、円弧状の軌道を形成するレール部２６の途中の途切れ部分に支軸２７を設け、この支軸２７に駆動レバー５７の軸孔１００を嵌合することにより、支軸２７を中心に駆動レバー５７を回転させる構成を採用している。このため、フィルタユニット５５とこれを移動させるための駆動手段となる駆動源ユニット５６および駆動レバー５７を密に配置することができる。したがって、フィルタユニット５５と駆動手段（５６，５７）をコンパクトにまとめて筐体（１１，１２）に収容することができる。
【００８２】
＜６．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００８３】
たとえば、フィルタユニット５５に設けられる２つの光学フィルタ６１，６２の組み合わせは、赤外線カットフィルタとダミーフィルタの組み合わせ以外にも、赤外線カットフィルタとＮＤフィルタの組み合わせ、あるいはＮＤフィルタと赤外線カットフィルタの両方の機能を有するフィルタとダミーフィルタの組み合わせなど、種々の変更が可能である。また、光学フィルタ６１および光学フィルタ６２のうち、一方の光学フィルタ（赤外線カットフィルタ、ＮＤフィルタなど）だけをフィルタ支持部材６３に装着し、片側はフィルタ非装着（フィルタなしの孔あき状態）とした構成でもよい。また、フィルタ支持部材６３の構成として、フィルタ支持枠６４およびフィルタ支持枠６５のうちの一方だけを有し、そこに１つの光学フィルタを装着した構成であってもよい。
【００８４】
また、上記実施の形態においては、レール部２５，２６が形成する円弧状の軌道の外周側に駆動レバー５７を配置したが、これに限らず、当該円弧状の軌道の内周側に駆動レバー５７を配置してもよい。この構成を採用した場合は、円弧状の軌道の内周側に確保されるスペースを利用して駆動手段（５６，５７）を配置することができるため、小型化を図るうえで有利になる。
【００８５】
また、上記実施の形態においては、ベース部材１１に対して撮像ユニット取付用部材１３を着脱可能に構成したが、撮像ユニット２の交換が不要であれば、ベース部材１１と撮像ユニット取付用部材１３を一体構造で構成してもよい。
【００８６】
また、上記実施の形態においては、露光条件切替機構の一例としてフィルタ切替機構１４を挙げたが、これに限らず、たとえば、光学ユニットとしての絞りユニットを含む絞り機構や、光学ユニットとしてのシャッタユニットを含むシャッタ機構などを、それぞれ露光条件切替機構として備えた構成であってもよい。
【符号の説明】
【００８７】
１…カメラ
２…撮像ユニット
３…露光条件切替装置
６…撮像素子
１１…ベース部材
１２…カバー部材
２５，２６…レール部
４２，４３…案内溝
５５…フィルタユニット
５６…駆動源ユニット
５７…駆動レバー
５８…コイルボビン
５９…回転子ユニット
６１，６２…光学フィルタ
９６…歯車部
１００…軸孔
１０１…歯車部
１０２…ピン部
【図１】
2013254014.tif 000003
【図２】
2013254014.tif 000004
【図３】
2013254014.tif 000005
【図４】
2013254014.tif 000006
【図５】
2013254014.tif 000007
【図６】
2013254014.tif 000008
【図７】
2013254014.tif 000009
【図８】
2013254014.tif 000010
【図９】
2013254014.tif 000011
【図１０】
2013254014.tif 000012
【図１１】
2013254014.tif 000013
【図１２】
2013254014.tif 000014